(57)【要約】【課題】埋込型装置取付金具に対する照明装置の回動範囲を規制することができる埋込型装置取付金具及び埋込型照明器具を提供する。【解決手段】リニューアルプレート１０は、天井板９０に形成された埋込孔９３に照明装置１１０を着脱可能に保持する。リニューアルプレート１０は、照明装置１１０が挿通される第１挿通孔２４が形成され、埋込孔９３の一方側に配置される第１プレート２０と、照明装置１１０が挿通される第２挿通孔が形成され、埋込孔９３の他方側に配置されて第１プレート２０に固定される第２プレート３０とを備える。そして、第１プレート２０は、照明装置１１０の回動範囲を規制するように、照明装置１１０の取付部１１２が内部に載置される凹部２６を有する。【選択図】図３
2018085258.tif 000002
【特許請求の範囲】
【請求項１】
造営材に形成された埋込孔に装置を着脱可能に保持する埋込型装置取付金具であって、
前記装置が挿通される第１挿通孔が形成され、前記埋込孔の一方側に配置される第１プレートと、
前記装置が挿通される第２挿通孔が形成され、前記埋込孔の他方側に配置されて前記第１プレートに固定される第２プレートとを備え、
前記第１プレートは、前記装置の回動範囲を規制するように、前記装置の取付部が内部に載置される凹部を有する
埋込型装置取付金具。
【請求項２】
前記凹部は、
前記第１プレートと略直交する方向に突出し、
前記埋込孔内に挿入される
請求項１記載の埋込型装置取付金具。
【請求項３】
前記凹部は、
前記第１プレートに複数設けられ、
前記埋込孔の内壁に沿うように接する
請求項２記載の埋込型装置取付金具。
【請求項４】
複数の前記凹部は、互いに向かい合う複数対となるように設けられている
請求項３記載の埋込型装置取付金具。
【請求項５】
前記凹部の深さは、前記第１プレートの厚みと前記第２プレートの高さとの和と、略同一である
請求項２〜４のいずれか１項に記載の埋込型装置取付金具。
【請求項６】
前記装置が当該埋込型装置取付金具に取付けられた際に、前記凹部は、前記装置の前記取付部の両脇に側壁を有している
請求項１〜５のいずれか１項に記載の埋込型装置取付金具。
【請求項７】
請求項１〜６のいずれか１項に記載の埋込型装置取付金具と、
照明装置である前記装置とを備え、
前記取付部は、前記照明装置の外面から外向きに突出する返し爪である
埋込型照明器具。
【発明の詳細な説明】
【技術分野】
【０００１】
本発明は、埋込型装置取付金具及び埋込型照明器具に関する。
【背景技術】
【０００２】
従来、照明器具の取付バネと嵌合する取付バネ受部を有する枠取付部（第１プレートの一例）と、枠取付部に取付ける枠部（第２プレートの一例）とを備えた埋込プレート（埋込型装置取付金具の一例）が開示されている（例えば特許文献１参照）。
【０００３】
この埋込プレートでは、取付バネを枠取付部の取付バネ受部に容易に取付けることができる。
【先行技術文献】
【特許文献】
【０００４】
【特許文献１】特開２０１０−７３４８０号公報
【発明の概要】
【発明が解決しようとする課題】
【０００５】
しかしながら、従来の埋込型装置取付金具では、照明器具を埋込型装置取付金具に取付けた際に、取付バネ受部と取付バネとが嵌合しているが、板バネである取付バネが取付バネ受部に対して回動しないように照明器具を保持しているとは言い難い。また、風などにより、照明装置が埋込型装置取付金具に対して移動や回動する場合がある。これらの場合では、照明装置に接続されている電源ケーブルが抜けてしまう恐れがある。
【０００６】
そこで、本発明は、埋込型装置取付金具に対する照明装置の回動範囲を規制することができる埋込型装置取付金具及び埋込型照明器具を提供することを目的とする。
【課題を解決するための手段】
【０００７】
上記目的を達成するため、本発明の一態様に係る埋込型装置取付金具は、造営材に形成された埋込孔に装置を着脱可能に保持する埋込型装置取付金具であって、前記装置が挿通される第１挿通孔が形成され、前記埋込孔の一方側に配置される第１プレートと、前記装置が挿通される第２挿通孔が形成され、前記埋込孔の他方側に配置されて前記第１プレートに固定される第２プレートとを備え、前記第１プレートは、前記装置の回動範囲を規制するように、前記装置の取付部が内部に載置される凹部を有する。
【０００８】
また、上記目的を達成するため、本発明の一態様に係る埋込型照明器具は、埋込型装置取付金具と、照明装置である前記装置とを備え、前記取付部は、前記照明装置の外面から外向きに突出する返し爪である。
【発明の効果】
【０００９】
本発明によれば、埋込型装置取付金具に対する照明装置の回動範囲を規制することができる。
【図面の簡単な説明】
【００１０】
【図１】図１は、実施の形態に係る埋込型照明器具を示す斜視図である。
【図２】図２は、実施の形態に係る埋込型照明器具を示す分解斜視図である。
【図３】図３は、実施の形態に係る埋込型照明器具のリニューアルプレートを示す斜視図である。
【図４】図４は、図３のＩＶ−ＩＶ線における実施の形態に係る埋込型照明器具のリニューアルプレートを示す断面図である。
【図５】図５は、実施の形態に係る埋込型照明器具を示す部分拡大断面図である。
【図６】図６は、実施の形態の変形例に係る埋込型照明器具を示す部分拡大断面図である。
【発明を実施するための形態】
【００１１】
（本発明の基礎となった知見）
ダウンライト等の照明装置を造営材の埋込孔に埋め込む場合において、例えば、埋込孔の径が約１５０ｍｍ用の照明装置を、埋込孔の径がより大きな約１７５ｍｍ、約２００ｍｍ等に取付ける場合には、照明装置の取付部が埋込孔に対応しておらず、照明装置を造営材に適切に取付けることができない。
【００１２】
このため、埋込孔の径が約１５０ｍｍ用の照明装置を、より径の大きな埋込孔に取付ける場合には、例えば、埋込孔の径が約１７５ｍｍ、約２００ｍｍ等に取付けることができる埋込型装置取付金具が求められている。
【００１３】
また、照明装置を造営材の埋込孔に取付けた場合に、照明装置が埋込型装置取付金具に対して回動範囲を規制することも求められている。これは、照明装置の電源ボックスに接続される電源ケーブルが接続されているため、照明装置の回動により電源ボックスから電源ケーブルが抜け落ちてしまうことを抑制する必要がある。
【００１４】
そこで、埋込型装置取付金具に対する照明装置の回動範囲を規制することができる埋込型装置取付金具及び埋込型照明器具を提供する。
【００１５】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１６】
また、「略＊＊」との記載は、「略同一」を例に挙げて説明すると、全く同一はもとより、実質的に同一と認められるものを含む意図である。
【００１７】
なお、各図は、模式図であり、必ずしも厳密に図示されたものではない。また、各図において、実質的に同一の構成に対しては同一の符号を付しており、重複する説明は省略又は簡略化する。
【００１８】
以下、本発明の実施の形態に係る埋込型装置取付金具及び埋込型照明器具について説明する。
【００１９】
（実施の形態）
［構成］
まず、本実施の形態に係る埋込型装置取付金具及び埋込型照明器具の構成について図１〜図５を用いて説明する。
【００２０】
図１は、実施の形態に係る埋込型照明器具を示す斜視図である。図２は、実施の形態に係る埋込型照明器具を示す分解斜視図である。図３は、実施の形態に係る埋込型照明器具のリニューアルプレートを示す斜視図である。図４は、図３のＩＶ−ＩＶ線における実施の形態に係る埋込型照明器具の埋込型装置取付金具を示す断面図である。図５は、実施の形態に係る埋込型照明器具を示す部分拡大断面図である。
【００２１】
図１では、照明器具１において、電源ボックスの長手方向をＸ軸方向と規定し、Ｘ軸方向及び照明装置の照射方向と交差する方向をＹ軸方向と規定し、上下方向をＺ軸方向と規定する。そして、図２以降の各図に示す各方向は、全て図１に示す各方向に対応させて表示する。なお、図１では、Ｘ軸方向、Ｙ軸方向及びＺ軸方向は、使用態様によって変化するため、これには限定されない。以降の図においても、同様である。
【００２２】
また、照明装置が発する光の照射方向と反対側がＺ軸プラス方向（上方向）であり、照射方向がＺ軸マイナス方向（下方向）である。
【００２３】
［埋込型照明器具］
実施の形態に係る埋込型装置取付金具及び埋込型装置取付金具を用いた埋込型照明器具について、図１及び図２を用いて説明する。図１に示すように、照明器具１は、ダウンライトなどの埋込型照明器具の一例であり、天井板９０（造営材の一例）などの被取付部に埋込配設されて下方向（Ｚ軸マイナス方向）に光を照射する。また、リニューアルプレート１０は、埋込型装置取付金具の一例であり、照明器具１を天井板９０などの被取付部に取付ける。
【００２４】
図１及び図２に示すように、照明器具１は、照明装置１１０（装置の一例）と、リニューアルプレート１０とを備える。例えば、ダウンライトである照明装置１１０には、天井板９０に設けられた埋込孔９３に取付可能な、外面に取付部１１２が設けられている。
【００２５】
照明装置１１０の内部には、光源（図示せず）が配置されている。光源は、例えば、ＬＥＤ（Ｌｉｇｈｔ  Ｅｍｉｔｔｉｎｇ  Ｄｉｏｄｅ）モジュールである。なお、光源は、有機ＥＬ（Ｅｌｅｃｔｒｏ  Ｌｕｍｉｎｅｓｃｅｎｃｅ）素子、半導体レーザ素子などでもよく、あるいは、蛍光灯でもよい。
【００２６】
照明装置１１０は、さらに、電源ボックス１１１を有する。電源ボックス１１１は、後述する一点鎖線の軸Ｐと略直交するＸ軸方向に延びる長尺な金属製の箱型に形成され、その内部に点灯回路等の回路部品が実装された基板を収納している。電源ボックス１１１には、商用交流電源からの電源ケーブルが接続されて、商用交流電源が点灯回路に供給される。
【００２７】
照明装置１１０は、さらに、環状の鍔部１１４を有する。鍔部１１４は、照明装置１１０の光出射側に設けられている。鍔部１１４の外径は、埋込孔９３の径より小さい。
【００２８】
本実施の形態では、照明装置１１０は、天井板９０に固定されたリニューアルプレート１０に取付けられることによって、埋込孔９３に取付けられる。
【００２９】
天井板９０は、埋込型の照明器具１の照明装置１１０が取付けられる埋込孔９３が設けられた板状の被取付部である。天井板９０は、上面９１と、下面９２と、埋込孔９３とを有する。
【００３０】
上面９１は、天井の裏面（天井裏側の面）である。下面９２は、天井の表面であり、照明器具１の光出射側の面である。
【００３１】
埋込孔９３は、天井板９０を貫通する孔である。埋込孔９３には、下面９２側から照明装置１１０が挿入されて、挿入された照明装置１１０が埋込孔９３の周辺部に取付けられる。本実施の形態では、埋込孔９３の径は、照明器具１の照明装置１１０が取付可能な孔の径よりも大きい。埋込孔９３の径φは、例えば、約１７５ｍｍ、約２００ｍｍ等である。
【００３２】
天井板９０は、例えば、石膏ボードで形成されるが、これに限らない。天井板９０は、木材又は金属板などから形成されてもよい。
【００３３】
［リニューアルプレート］
図３及び図４に示すように、リニューアルプレート１０は、天井板９０に形成された埋込孔９３に照明装置１１０を着脱可能に保持する器具である。リニューアルプレート１０は、環状の第１プレート２０と、環状の第２プレート３０と、２本のネジ４０とを備える。本実施の形態では、リニューアルプレート１０は、さらに、パッキン５０を備える。本実施の形態では、リニューアルプレート１０は、２本のネジ４０を備えるが、ネジ４０の数には特に限定されない。リニューアルプレート１０は、１つのみのネジ４０を備えてもよく、３つ以上のネジ４０を備えてもよい。
【００３４】
リニューアルプレート１０は、ネジ４０によって連結された第１プレート２０と第２プレート３０とが天井板９０を挟持することで、天井板９０に固定される。具体的には、第１プレート２０は、埋込孔９３の一方側に配置される。本実施の形態では、第１プレート２０は、天井板９０の上面９１に配置される。第２プレート３０は、埋込孔９３の他方側に配置される。本実施の形態では、第２プレート３０は、天井板９０の下面９２に配置される。ネジ４０は、埋込孔９３内に配置されて、第１プレート２０と第２プレート３０とを連結する。これにより、第１プレート２０と第２プレート３０とは、天井板９０を挟持する。
【００３５】
第１プレート２０の第１挿通孔２４と、埋込孔９３と、第２プレート３０の第２挿通孔３５とは、平面視において略同心円状になるように配置される。より具体的には、第１挿通孔２４、埋込孔９３及び第２挿通孔３５における各々の中心軸が軸Ｐと略同一である。
【００３６】
第１プレート２０は、最大幅が埋込孔９３の径より大きく、第１挿通孔２４を有する環状のプレートである。第１プレート２０の平面視における外周形状は、略多角形である。なお、第１プレート２０は、第１挿通孔２４を形成する環の一部が切断された切り欠き形状が形成されていてもよい。なお、第１プレート２０の平面視における外周形状は、略多角形に限らず、略円形又は略楕円形などでもよく、特に限定されない。
【００３７】
第１プレート２０は、照明装置１１０を取付ける取付板である。第１プレート２０は、例えば、亜鉛鋼板などの金属材料から形成される。本実施の形態では、第１プレート２０は、亜鉛鋼板などの金属材料から形成される。図５に示すように、第１プレート２０に照明装置１１０が取付けられた場合、照明装置１１０の取付部１１２が第１プレート２０に係合される。第１プレート２０の材料として剛性の高い材料を用いることで、照明装置１１０の保持力が高まる。第１プレート２０は、例えば、１枚の金属板に曲げ加工又は切断加工などを行うことで形成される。
【００３８】
本実施の形態では、第１プレート２０の厚みは、約１．２ｍｍである。なお、第１プレート２０の厚みは、具体的には、第１プレート２０の材料と取付部１１２にかかる荷重とによって決定されてもよい。例えば、第１プレート２０の厚みは、取付部１１２の荷重によって変形しない程度に、第１プレート２０の強度を保てる厚みでもよい。
【００３９】
図３及び図４に示すように、第１プレート２０は、第１枠体部２１と、第１折り返し部２２と、第１舌片部２３と、第１起立部２５とを有する。
【００４０】
第１枠体部２１は、第１プレート２０の本体に相当する環状の平板部である。第１枠体部２１の平面視形状は、第１プレート２０の平面視形状に略一致する略多角形をなしている。
【００４１】
第１枠体部２１には、第１挿通孔２４と、凹部２６とが形成されている。
【００４２】
図１及び図２に示すように、第１挿通孔２４は、第１枠体部２１の中央部分に形成され、照明装置１１０が挿通される孔である。本実施の形態では、第１挿通孔２４の平面視形状は、略円形である。第１挿通孔２４の径は、照明装置１１０の最大幅より大きく、埋込孔９３の径φよりも小さくてもよい。なお、第１挿通孔２４の径は、照明装置１１０が挿通可能であればよいため、例えば、照明装置１１０の外形が円錐台形状である場合などに、埋込孔９３の径より小さい。
【００４３】
図５に示すように、第１枠体部２１を断面視した場合、凹部２６は、第１プレート２０と略直交する方向Ｚ軸マイナス方向に凹んでいる。一方、凹部２６は、第１枠体部２１の一部にプレス加工を行い形成されるため、第１枠体部２１を断面視した場合では、第１プレート２０と略直交する方向（Ｚ軸マイナス方向）に突出している。凹部２６は、プレス加工により約４ｍｍの深さで形成される。
【００４４】
図３及び図５に示すように、凹部２６は、第１挿通孔２４の周囲を囲むように、第１挿通孔２４の内壁側に形成されている。凹部２６は、照明装置１１０をリニューアルプレート１０に取付けた際に、照明装置１１０の取付部１１２が内部に載置される。照明装置１１０をリニューアルプレート１０に取付けた場合に、凹部２６の底面（上面）が取付部１１２の下端（Ｚ軸プラス方向側の面）と当接し、第１プレート２０が照明装置１１０を支持する。
【００４５】
凹部２６は、照明装置１１０の回動範囲を規制する側壁２６ａを有する。側壁２６ａは、照明装置１１０が当該リニューアルプレート１０に取付けられた際に、照明装置１１０の取付部１１２の両脇に設けられている。この場合、取付部１１２の一部が凹部２６の内部に入る（載置される）ため、凹部２６の側壁２６ａにより照明装置１１０の回動範囲が規制される。
【００４６】
図３及び図４に示すように、凹部２６は、第１プレート２０に複数設けられている。複数の凹部２６は、互いに向かい合う複数対となるように設けられている。具体的には、本実施の形態では、第１枠体部２１に４つの凹部２６が形成されて、各々が互いに向かい合っている。第１プレート２０には、互いに向かい合う一対の凹部２６が２つ形成されている。各々の凹部２６は、軸Ｐを中心として約９０°離れて配置されている。本実施の形態では、第１枠体部２１には、４つの凹部２６が形成されているが、個数は特に限定されない。
【００４７】
また、例えば、埋込孔９３の径φが約２００ｍｍの場合では、リニューアルプレート１０を天井板９０の埋込孔９３に取付けた場合に、凹部２６及び第１起立部２５が埋込孔９３に挿入するように設けられる。この際、凹部２６は、天井板９０に対して第１プレート２０の移動を規制するように埋込孔９３と係合する。言い換えれば、凹部２６が埋込孔９３の内壁に沿うように接するため、天井板９０に対する第１プレート２０の移動が規制される。
【００４８】
なお、本実施の形態では、軸Ｐに対する外周側の凹部２６が埋込孔９３の内壁に当接しているが、凹部２６が埋込孔９３の内壁に隣接していればよく、必ずしも凹部２６が埋込孔９３の内壁に接触していなければならないわけではない。
【００４９】
図３に示すように、凹部２６の幅は、例えば、取付部１１２の幅と同程度であるが、取付部１１２の幅よりも大きい。
【００５０】
図５に示すように、凹部２６の深さは、第１プレート２０の厚みＬ１と第２プレート３０の高さＬ２との和と略同一である。具体的には、第１プレート２０における第１枠体部２１の厚みＬ１と、第２プレート３０の高さＬ２との和（Ｌ１＋Ｌ２）が、凹部２６の深さＬ３と略同一である。なお、第１プレート２０の厚みＬ１とは、第１折り返し部２２を含めた高さでではなく、例えば、第１枠体部２１の厚みＬ１である。また、第２プレート３０の高さとは、第２折り返し部３２を含めた高さＬ２である。
【００５１】
なお、本実施の形態では、第２プレート３０に第２折り返し部３２及びパッキン５０が設けられているため、第２プレート３０の高さＬ２は、第２折り返し部３２及びパッキン５０を含めた高さとしている。なお、第２折り返し部３２及びパッキン５０が設けられていない場合には、第２プレート３０の高さＬ２を、第２枠体部３１の高さ（厚み）としてもよい。
【００５２】
図３に示すように、第１折り返し部２２は、第１プレート２０の端部に設けられている。具体的には、第１折り返し部２２は、第１枠体部２１の外周端縁で、Ｚ軸プラス方向に立設している。本実施の形態では、第１折り返し部２２は、第１プレート２０の平面視における外周形状である略多角形の少なくとも一辺に形成されている。つまり、第１枠体部２１の外周端縁には、４つの第１折り返し部２２が形成されている。なお、第１折り返し部２２は１つ以上でもよく、第１折り返し部２２の数は特に限定されない。
【００５３】
なお、第１折り返し部２２は、内周端縁に、すなわち、第１挿通孔２４に沿って設けられていてもよい。また、第１折り返し部２２が内周端縁に設けられている場合は、折り返しの方向は、第２プレート３０側（Ｚ軸マイナス方向側）でもよい。
【００５４】
第１舌片部２３は、第１枠体部２１に形成され、第１挿通孔２４の内壁から第１挿通孔２４の内方に向かって突出している。本実施の形態では、第１舌片部２３は第１枠体部２１と面一である。第１舌片部２３には、第１貫通孔２３ａが設けられている。本実施の形態では、第１枠体部２１には、２つの第１舌片部２３が設けられている。２つの第１舌片部２３は、軸Ｐを中心として所定の角度（例えば、９０度）以上離れて配置される。
【００５５】
第１貫通孔２３ａは、ネジ４０を挿通するための孔であり、ネジ４０と螺合する。第１貫通孔２３ａの内壁には、雌ねじのネジ切加工が施されていてもよい。
【００５６】
第１起立部２５は、第１枠体部２１における第１挿通孔２４の周囲に形成され、第１枠体部２１に対して、下方向に向かって略垂直に折れ曲がっている。第１起立部２５は、例えば、埋込孔９３の径φが約１７５ｍｍの場合に、リニューアルプレート１０を天井板９０の埋込孔９３に取付けた場合に、埋込孔９３に対する第１プレート２０の移動を規制する。
【００５７】
第２プレート３０は、第２挿通孔３５を有する環状のプレートであり、天井板９０に照明装置１１０を取付けた際に、埋込孔９３と照明装置１１０との隙間を覆うカバーである。第２プレート３０は、第１プレート２０よりも下側に設けられ、天井板９０の下面９２に配置される。
【００５８】
第２プレート３０の平面視における形状は、略円環状である。なお、照明装置１１０がリニューアルプレート１０に取付けられた場合に、第２プレート３０の少なくとも一部が、鍔部１１４によって覆われる。このため、第２プレート３０の平面視形状は、鍔部１１４の形状に応じて設計されてもよい。例えば、鍔部１１４が矩形である場合は、第２プレート３０の平面視形状も矩形でもよい。
【００５９】
第２プレート３０は、例えば、高耐食溶融亜鉛めっき鋼板（ＺＡＭ（登録商標））を用いている。第２プレート３０は、第１プレート２０にネジ４０を介して連結されている。このため、第２プレート３０には、照明装置１１０の取付部１１２にかかる荷重に応じた力がネジ４０を介して加わる。このため、第２プレート３０の材料として剛性の高い材料を用いることで、照明装置１１０の保持力を高めることができる。第２プレート３０は、例えば、１枚の金属板に曲げ加工又は切断加工などを行うことで形成される。また、第２プレート３０は、天井板９０の下面９２に取付けられるので、サビ防止又は美観の向上を目的として塗装されてもよい。
【００６０】
本実施の形態では、第２プレート３０の高さＬ２は、約３ｍｍである。なお、第２プレート３０の高さＬ２は、具体的には、第２プレート３０の材料と取付部１１２にかかる荷重に応じて加わる力とによって決定されてもよい。例えば、第２プレート３０の高さＬ２は、取付部１１２にかかる荷重に応じて加わる力によって変形しない程度に、第２プレート３０の強度を保つことができる値でもよい。
【００６１】
本実施の形態では、第２プレート３０は、第２枠体部３１と、第２折り返し部３２と、第２舌片部３６と、第２起立部３７とを有する。
【００６２】
第２枠体部３１は、第２プレート３０の本体に相当する環状の平板部である。第２枠体部３１の平面視形状は、第２プレート３０の平面視形状に略一致する。具体的には、第２枠体部３１の平面視形状は、略円環状である。
【００６３】
第２枠体部３１には、第２挿通孔３５が形成されている。
【００６４】
第２挿通孔３５は、第２枠体部３１の中央部分に形成され、照明装置１１０が挿通される孔である。本実施の形態では、第２挿通孔３５の平面視形状は、略円形である。第２挿通孔３５の径は、埋込孔９３及び第１挿通孔２４の各々の径φに比べて小径である。これは、第２プレート３０が照明装置１１０と天井板９０との隙間を隠すようにするために、小径にしている。一方、第１プレート２０の第１挿通孔２４については、取付け易さの観点から第２挿通孔３５よりも大径にしている。
【００６５】
なお、第２挿通孔３５の径は、照明装置１１０をリニューアルプレート１０に取付けた際に、Ｚ軸プラス方向に向かう平面視で、鍔部１１４により第２挿通孔３５が覆われるように、鍔部１１４よりも小径である。
【００６６】
第２折り返し部３２は、第２プレート３０の外周端縁側に設けられている。第２折り返し部３２は、環状をなすパッキン５０の外周端縁を覆うように第２プレート３０の外周端縁が、Ｚ軸プラス方向に向かって折り返されることで形成される。第２折り返し部３２の形状は、円環状である。第２折り返し部３２の深さは、パッキン５０の厚さより小さい。
【００６７】
第２舌片部３６は、第２枠体部３１に形成され、第２挿通孔３５の内壁から第２挿通孔３５の内方に向かって突出している。本実施の形態では、第２舌片部３６は第２枠体部３１と面一である。第２舌片部３６には、第２貫通孔３６ａが設けられている。本実施の形態では、第２枠体部３１には、２つの第２舌片部３６が設けられている。２つの第２舌片部３６は、軸Ｐを中心として所定の角度（例えば、９０度）以上離れて配置される。
【００６８】
第２貫通孔３６ａは、ネジ４０を挿通するための孔であり、ネジ４０と螺合する。第２貫通孔３６ａの内壁には、雌ねじのネジ切加工が施されていてもよい。第１プレート２０及び第２プレート３０を天井板９０に取付ける際に、平面視で第２貫通孔３６ａは、第１貫通孔２３ａと重複するように設けられる。
【００６９】
ネジ４０は、第１プレート２０と第２プレート３０とを連結するための連結部材の一例である。具体的には、ネジ４０は、第１プレート２０と第２プレート３０とを締結する。より具体的には、ネジ４０は、第２プレート３０における第２舌片部３６の第２貫通孔３６ａを挿通し、第１プレート２０における第１舌片部２３の第１貫通孔２３ａを挿通して締結することで、第１プレート２０と第２プレート３０とを締め付け、第１プレート２０及び第２プレート３０が天井板９０を挟持させる。つまり、本実施の形態では、ネジ４０の締結力によって、リニューアルプレート１０を天井板９０に固定する。
【００７０】
ネジ４０は、例えば、金属材料から形成される。ネジ４０の長さは特に限定されないが、例えば、天井板９０の厚さ以上の長さを有する。
【００７１】
第２起立部３７は、第２枠体部３１における第２挿通孔３５の周囲に形成され、第２枠体部３１に対して、上方向に向かって略垂直に折れ曲がっている。
【００７２】
パッキン５０は、第２プレート３０が下面９２側に配置された場合に第２プレート３０と下面９２との間をシールする環状のシール部材の一例である。パッキン５０の径は、埋込孔９３の径より大きく、第２プレート３０の外径より小さい。パッキン５０は、第２枠体部３１と下面９２との間を埋めるように、周方向に沿って設けられている。パッキン５０は、ネジ４０の締結力により、全周にわたって第２枠体部３１と下面９２との間をシールする。また、この締結力によりパッキン５０の上面が天井板９０の下面９２と接触するため、第２プレート３０の回動範囲を規制する。
【００７３】
パッキン５０は、水分透過率の低い材料から形成される。パッキン５０の材料としては、例えば、ブチルゴムなどの樹脂材料を用いることができる。
【００７４】
取付部１１２は、照明装置１１０の外面側に設けられた取付金具であり、Ｚ軸プラス方向に引っかかる外向きの爪である。言い換えれば、取付部１１２は、照明装置１１０の外面から外向きに突出する返し爪である。本実施の形態では、２つの取付部１１２が照明装置１１０で対称に設けられている。照明装置１１０がリニューアルプレート１０に取付けられた場合、取付部１１２が第１プレート２０の凹部２６に荷重をかける。
【００７５】
次に、天井板９０への照明器具１の取付け手順について説明する。
【００７６】
このような照明器具１を天井板９０に取付ける場合、第１プレート２０を天井板９０の埋込孔９３を挿通させて、天井板９０における埋込孔９３の上面９１に配置する。具体的には、第１プレート２０の凹部２６を埋込孔９３の上側で挿入させた状態に配置する。この際、軸Ｐに対する凹部２６の外周側が埋込孔９３の内壁に沿うように接するため、埋込孔９３に対する第１プレート２０の移動が規制される。この際、第１プレート２０における第１挿通孔２４の中心軸と埋込孔９３の中心軸とが略一致するように第１プレート２０が配置される。
【００７７】
次に、平面視で、第１プレート２０の第１貫通孔２３ａと第２プレート３０の第２貫通孔３６ａとが一致するように第２プレート３０を天井板９０の下面９２に配置し、下側から２本のネジ４０を第２貫通孔３６ａ、埋込孔９３及び第１貫通孔２３ａの順で挿通させる。そして、各々のネジ４０により第１プレート２０と第２プレート３０とを締め付け、リニューアルプレート１０を天井板９０に挟持させる。このとき、第２プレート３０における第２挿通孔３５の中心軸が第１挿通孔２４の中心軸及び埋込孔９３の中心軸と略一致するように、第２プレート３０を配置する。こうして、これらの中心軸が軸Ｐと略一致する。
【００７８】
次に、天井板９０の上方に設けられている電源ケーブルを、第１挿通孔２４、埋込孔９３及び第２挿通孔３５を挿通させて、照明装置１１０の電源ボックス１１１に接続する。そして、電源ケーブルを天井板９０の上方に戻しつつ、リニューアルプレート１０の下側から照明装置１１０を第１挿通孔２４、埋込孔９３及び第２挿通孔３５の順で挿通させる。具体的には、照明装置１１０の電源ボックスから第１挿通孔２４、埋込孔９３及び第２挿通孔３５の順で挿通させ、照明装置１１０の取付部１１２と凹部２６とが対応するように照明装置１１０を上側に押し込む。すると、取付部１１２が内側に折り曲げられながら第１挿通孔２４の内壁を摺動し、取付部１１２が第１挿通孔２４を通過すると、取付部１１２の弾性力により外向きに復元する。このため、取付部１１２が凹部２６の底面に配置され、取付部１１２が凹部２６に係止される。こうして、照明器具１が天井板９０に取付けられる。
【００７９】
［作用効果］
次に、本実施の形態におけるリニューアルプレート１０及び照明器具１の作用効果について説明する。
【００８０】
上述したように、本実施の形態に係るリニューアルプレート１０は、天井板９０に形成された埋込孔９３に照明装置１１０を着脱可能に保持する。リニューアルプレート１０は、照明装置１１０が挿通される第１挿通孔２４が形成され、埋込孔９３の一方側に配置される第１プレート２０と、照明装置１１０が挿通される第２挿通孔３５が形成され、埋込孔９３の他方側に配置されて第１プレート２０に固定される第２プレート３０とを備える。そして、第１プレート２０は、照明装置１１０の回動範囲を規制するように、照明装置１１０の取付部１１２が内部に載置される凹部２６を有する。
【００８１】
これによれば、天井板９０に照明装置１１０を配置した際に、凹部２６の内部に照明装置１１０の取付部１１２が載置されるため、リニューアルプレート１０に対する照明装置１１０の回動範囲が規制される。
【００８２】
したがって、リニューアルプレート１０に対する照明装置１１０の回動範囲を規制することができる。
【００８３】
また、本実施の形態に係る照明器具１は、リニューアルプレート１０と、照明装置１１０とを備える。そして、取付部１１２は、照明装置１１０の外面から外向きに突出する返し爪である。
【００８４】
これによれば、取付部１１２が返し爪であるため、例えば、照明器具１を軒下等の屋外に取付けた場合でも、取付部として板バネを用いた照明装置に比べ、風などにより照明装置１１０と天井板９０との間に隙間が空き難く、天井板９０から落下し難い。このため、照明装置１１０及びリニューアルプレート１０は、天井板９０の取付に好適である。
【００８５】
また、本実施の形態に係るリニューアルプレート１０において、凹部２６は、第１プレート２０と略直交する方向に突出する。そして、凹部２６は、埋込孔９３内に挿入される。
【００８６】
これによれば、第２プレート３０が第１プレート２０に固定された状態で、凹部２６が埋込孔９３内に挿入されているため、天井板９０に対してリニューアルプレート１０の移動が規制される。このため、天井板９０に対する照明装置１１０の移動が規制され易くなる。
【００８７】
また、本実施の形態に係るリニューアルプレート１０において、凹部２６は、第１プレート２０に複数設けられる。そして、凹部２６は、埋込孔９３の内壁に沿うように接する。
【００８８】
これによれば、凹部２６が埋込孔の内壁を沿うように接するため、照明器具１の中心軸を埋込孔９３の軸Ｐと略一致するように設けることができる。このため、照明器具１を天井板９０に取付けた際の見栄えを損ね難い。
【００８９】
特に、凹部２６が埋込孔の内壁を沿うように当接していれば、Ｘ軸方向及びＹ軸方向への第１プレート２０の移動が規制することができる。
【００９０】
また、本実施の形態に係るリニューアルプレート１０において、複数の凹部２６は、互いに向かい合う複数対となるように設けられている。
【００９１】
これによれば、本実施の形態では、一対の凹部２６が２つ設けられているため、照明装置１１０を４つの方向に取付けることができる。このため、照明装置１１０の取付向きを変えることができるため、例えば、梁等の影響を受けることなく照明器具１を天井板９０に取付けることができる。
【００９２】
また、本実施の形態に係るリニューアルプレート１０において、凹部２６の深さは、第１プレート２０の厚みＬ１と第２プレート３０の高さＬ２との和と、略同一である。
【００９３】
例えば、取付部１１２と係合する凹部２６を天井板９０の上面９１に設けた場合では、リニューアルプレート１０の分だけ、照明装置１１０の取付け部分の厚み（高さ）が増す。このため、取付け可能な厚みを超えてしまい、照明装置１１０における取付部１１２の規格によっては、照明装置１１０をリニューアルプレート１０に取付け難くなる場合がある。このため、照明装置１１０をリニューアルプレート１０に取付ける場合には、取付部１１２を設計変更しなければならなくなる恐れがある。
【００９４】
一方、本実施の形態に係るリニューアルプレート１０によれば、第１プレート２０の厚みＬ１と第２プレート３０の高さＬ２との和と略同一の深さである凹部２６が埋込孔９３に挿入されているため、照明装置１１０の取付け部分の厚みが増さない。このため、天井板９０の厚みに合わせて照明装置１１０の取付部１１２を適宜設計変更する必要がないため、このリニューアルプレート１０によれば、製造コストが高騰化し難い。
【００９５】
特に、取付部１１２が照明装置１１０の鍔部１１４から離間し難いため、照明装置１１０をリニューアルプレート１０から取り外し易い。
【００９６】
これによれば、第１プレート２０の厚みＬ１及び第２プレート３０の高さＬ２がそれぞれ異なっていても、これらプレートの厚みによる、リニューアルプレート１０への照明装置１１０の取付けに影響が生じ難い。
【００９７】
また、本実施の形態に係るリニューアルプレート１０において、照明装置１１０が当該リニューアルプレート１０に取付けられた際に、凹部２６は、照明装置１１０の取付部１１２の両脇に側壁２６ａを有している。
【００９８】
これによれば、例えば、照明装置１１０が回動しても、凹部２６内に設けられている照明装置１１０の取付部１１２が側壁２６ａに当て止まるため、照明装置１１０の回動範囲が規制される。
【００９９】
（実施の形態の変形例）
以下、本変形例に係るリニューアルプレート１０について、図６を用いて説明する。
【０１００】
図６は、実施の形態の変形例に係るリニューアルプレート１０を示す部分拡大断面図である。
【０１０１】
実施の形態では、主に埋込孔９３の径φが約２００ｍｍの場合について説明したが、本変形例では、埋込孔１９３の径φが約１７５ｍｍの場合について説明する点で相違する。
【０１０２】
本変形例における他の構成は、特に明記しない場合は、実施の形態と同様であり、同一の構成については同一の符号を付して構成に関する詳細な説明を省略する。
【０１０３】
図６に示すように、リニューアルプレート１０を天井板１９０の埋込孔１９３に取付けた際に、第１プレート２０の第１起立部２５の外周面が埋込孔１９３の内壁に接する。この場合では、第１プレート２０の凹部２６は、天井板１９０の上面９１に載置された状態となる。
【０１０４】
これにおいても、天井板１９０に照明装置２１０を配置した際に、凹部２６内に照明装置２１０の取付部２１２が載置されるため、リニューアルプレート１０に対する照明装置２１０の回動範囲が規制される。
【０１０５】
（その他変形例等）
以上、本発明について、実施の形態及び実施の形態の変形例に基づいて説明したが、本発明は、上記実施の形態及び実施の形態の変形例に限定されるものではない。
【０１０６】
例えば、上記実施の形態において、第２プレートの外径は、鍔部の外径より短くてもよい。これにより、平面視で第２プレートが鍔部に完全に覆われるので、照明器具としての美観を高めることも可能となる。あるいは、第２プレートの外径が鍔部の外径より大きくてもよい。この場合、第１プレートと第２プレートとによって天井板をより強固に挟持することができる。このとき、第２プレートの形状自体にデザイン性を持たせることで、照明器具の美観を高めてもよい。
【０１０７】
また、上記実施の形態において、凹部の深さは、天井板の厚みによって適宜変更してもよい。つまり、照明器具を天井板に取付けることができるように、天井板の厚みが増しても、凹部の深さを変えてもよい。
【０１０８】
また、上記実施の形態において、装置の一例として照明装置を用いているが、例えば、造営材に埋め込み可能なスピーカ、撮像装置等の装置であってもよい。
【０１０９】
また、上記実施の形態において、造営材の一例として天井板を用いているが、例えば、建築物における床板、壁板等であってもよい。
【０１１０】
また、上記の実施の形態では、第１プレートと第２プレートとを固定する連結部材の一例としてネジを用いてしたが、これに限らない。連結部材として、ボルトとナットとを用いてもよく、他の公知の連結部材を用いてもよい。
【０１１１】
以上、本発明の一つまたは複数の態様について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【符号の説明】
【０１１２】
１  照明器具（埋込型照明器具）
１０  リニューアルプレート（埋込型装置取付金具）
２０  第１プレート
２４  第１挿通孔
２６  凹部
２６ａ  側壁
３０  第２プレート
３５  第２挿通孔
９０、１９０  天井板（造営材）
９３、１９３  埋込孔
１１０、２１０  照明装置（装置）
１１２、２１２  取付部
【図１】
2018085258.tif 000003
【図２】
2018085258.tif 000004
【図３】
2018085258.tif 000005
【図４】
2018085258.tif 000006
【図５】
2018085258.tif 000007
【図６】
2018085258.tif 000008